(57)【特許請求の範囲】
【請求項１】
半透明樹脂、または透明樹脂表面に光を拡散させる性質を持たせた、略長方形断面を有する環状の光拡散部１の裏側に、少なくとも３個以上のLED５が環状に配置され、前記光拡散部１を介して前方に光を放射する照明器具であって、前記光拡散部裏側のいずれかの位置にクリップ状の固定部１０を固設したことを特徴とする着脱可能な環状照明器具。
【請求項２】
前記環状の光拡散部１の裏側に凹レンズ状窪みまたは凹レンズ状溝２を設け、前記凹レンズ面に前記LEDの発光面が対向していることを特徴とする、請求項１記載の着脱可能な環状照明器具。
【請求項３】
前記環状の光拡散部１の裏側には、環状の拡散部の形に合った裏蓋３が付き、裏蓋３の上にLEDが環状に配置・結線され、前記裏蓋３にはLEDと同位置に放熱のための穴４が開いていることを特徴とする、請求項１および請求項２のいずれかに記載の着脱可能な環状照明器具。
【請求項４】
環状の光拡散部１に固設された前記クリップ部１０の、固設された側の固定部１１の内部空間６に、LED駆動回路３６と電源スイッチ３５とACアダプタープラグ１４が内蔵され、前記クリップ状固定部１１に前記LED駆動回路３６から前記環状の光拡散部１のLEDへの配線を埋め込むための溝４１と、放熱板１３がついた固定クリップ部１１であることを特徴とする、請求項１、請求項２および請求項３のいずれかに記載の着脱可能な照明器具。
【発明の詳細な説明】
【技術分野】
【０００１】
本発明は、ミラースタンドや手鏡、姿見などの鏡の縁や中央に簡易に取り付けて使用する、陰影の少ない面光源による照明器具に関するものである。
【背景技術】
【０００２】
従来、暗い場所で化粧をするために、照明装置の付いたコンパクトケースや手鏡などが考案されている。
【０００３】
しかし、コンパクトケースや手鏡などに照明装置を付けた場合、照明が点光源になりやすく、均一に広い面積を明るく照らすことは難しい。特にコンパクトケースの場合などは、光源と鏡が隣り合わせになり眩しさを感じてしまう。また、電池駆動による照明の発明は多いが、その方法だと使用時間、明るさともに電池電源では不足であった。
【先行技術文献】
【特許文献】
【０００４】
【特許文献１】特開２００４−３０９６３３公報
【特許文献２】特開平９−２６２１３４
【発明の概要】
【発明が解決しようとする課題】
【０００５】
発明が解決しようとする課題は、（イ）被写体を取り囲む形の広い環状面光源で、（ロ）均一な光源面による照明、（ハ）さまざまなタイプのスタンドミラーや手鏡、姿見にも取り付けて照明することができる、着脱可能な明るい環状面光源を提供することである。
【課題を解決するための手段】
【０００６】
本発明は上記目的を達成するために、
（１）半透明樹脂、または透明樹脂表面に光を拡散させる性質を持たせた、略長方形断面を有する環状の光拡散部１の裏側に、少なくとも３個以上のLED５が環状に配置され、前記光拡散部１を介して前方に光を放射する照明器具であって、前記光拡散部裏側のいずれかの位置にクリップ状の固定部１０を固設したことを特徴とする着脱可能な環状照明器具
【０００７】
（２）前記環状の光拡散部１の裏側に凹レンズ状窪みまたは凹レンズ状溝２を設け、前記凹レンズ面に前記LEDの発光面が対向していることを特徴とする、（１）記載の着脱可能な環状照明器具。
【０００８】
（３）前記環状の光拡散部１の裏側には、環状の拡散部の形に合った裏蓋３が付き、裏蓋３の上にLEDが環状に配置・結線され、前記裏蓋３にはLEDと同位置に放熱のための穴４が開いていることを特徴とする、（１）および（２）のいずれかに記載の着脱可能な環状照明器具。
【０００９】
（４）環状の光拡散部１に固設された前記クリップ部１０の、固設された側の固定部１１の内部空間６に、LED駆動回路３６と電源スイッチ３５とACアダプタープラグ１４が内蔵され、前記クリップ状固定部１１に前記LED駆動回路３６から前記環状の光拡散部１のLEDへの配線を埋め込むための溝４１と、放熱板１３がついた固定クリップ部１１であることを特徴とする、（１）、（２）および（３）のいずれかに記載の着脱可能な照明器具。
【発明の効果】
【００１０】
本発明により、鏡に映し出す顔や上半身部分が身体・顔を包み込む均一な光に照明され、影が出ずに立体的に鏡に映せるようになった。また、拡散された均一で明るい光は照明される顔に影を作らないので、化粧の精度が上がる。そして、本発明は後付け式の無影照明器具として、固定の方法をいろいろと変えることができ、例えば吸盤（図７）や両面粘着テープ（図８）や引っ掛けるためのフック（図９）などで、手持ちにある鏡や姿見にクリップで挟み込み、または吸盤で吸着し、または両面粘着テープ等で貼り付けて、または縁に引っ掛けて使用することができる。
【図面の簡単な説明】
【００１１】
【図１】図１は着脱可能な環状照明器具を鏡に装着した状態の斜視図である。
【図２】図２は着脱可能な環状照明器具本体を前面から見た斜視図である。
【図３】図３はLED５のついた裏蓋３と、環状の光拡散部１を裏側から見た斜視図である。
【図４】図４は環状の光拡散部１の図３における断面A、Aで、凹レンズ状窪み又は凹レンズ状溝２のついた環状の光拡散部１と、クリップ部１０が鏡２１を挟む様子の断面図を表す。
【図５】図５は固定部１１の内部を裏面から見た分解斜視図である。
【図６】図６は固定部１１を表面側から見た分解斜視図である
【図７】図７は鏡に装着した状態での環状の光拡散部１のA、Aでの断面図で、吸盤１７の付いた様子をあらわす。
【図８】図８は鏡に装着した状態での環状の光拡散部１のA、A断面図で、粘着テープ１８の位置をあらわす。
【図９】図９は鏡に装着した状態での環状の光拡散部１におけるA、Aでの断面図で、引っ掛け用のフックの形状をあらわす。
【発明を実施するための形態】
【００１２】
以下、本発明の一実施形態を図面に基づいて説明する。
図１は、着脱可能な環状照明器具を鏡に取り付けた使用状態を示す。クリップ部１０は環状の光拡散部１に固設された固定クリップ部１１と、鏡を挟み込むためのバネがついた可動クリップ部１２からなる。このクリップ部１０を鏡の縁に挟むように取り付けることで、この環状の光拡散部１は鏡の縁に着脱自在に取り付けることができる。
可動クリップ部１２は洗濯バサミと同じように、バネの力で可動クリップ部１２を回転させて締め付け、着脱可能な環状照明器具を保持する。鏡を挟み込む固定クリップ部１１と可動部分１２の鏡と接触する先端には、樹脂などの滑り止めが付いており、容易にずれるのを防ぐ。
【００１３】
図２は前記（１）および（２）記載の着脱可能な環状照明器具を表側から見た斜視図である。着脱可能な環状照明器具は、図３に明示されたLED５の光を拡散するための環状の光拡散部１と、固定クリップ部１１とLED制御回路等の電子部品の入った可動クリップ部１２から成る。固定クリップ部１１の内部空間６に光源の明るさを制御するLED駆動回路、スイッチ、ACアダプター用ソケットが入っている。
１３は光源の明るさ制御装置用の放熱器である。１４はACアダプター用ソケットである。  
化粧をする時間は約１０分程度ではあるが、電池では化粧するための光量は得づらく、また長時間の点灯は難しい。よって、ACアダプターで恒常的な電気を供給することになる。明るさ制御装置は、その回路の種類によってはかなり発熱するので、放熱器１３を取り付けられるようになっている。LEDの明るさは、電圧、電流、電流パルスの明滅間隔、またはそれらを組み合わせた回路によって制御される。
環状の光拡散部１に取り付けられたLEDの数は、多いほど明るく、そして平均的な美しい光となる。
【００１４】
図３の分解斜視図は、本発明の着脱可能な環状照明器具の光拡散部を裏側から見た図である。環状の光拡散部１の裏側には、凹レンズとして働く凹レンズ状の窪みまたは溝２が切ってある。この凹状の窪みまたは溝２にLEDの発光面が対向するようにして裏蓋・LED基台３の上にLEDが設置される。
裏蓋・LED基台３はLEDを保持し、また前記凹レンズ型の溝を覆うカバーである。裏蓋・LED基台３には排熱孔４が複数開いており、LEDから出る熱を排熱する役目を持つ。
【００１５】
図４は前記（１）及び（２）記載の着脱可能な環状照明器具をA、Aで切断した断面図である。
環状の光拡散部１の裏側には凹レンズ状の窪みまたは凹レンズ状の溝２が切ってあり、LED発光面はこの凹レンズ面に対向するように設置されている。この凹レンズにより、LEDから出た光は拡散されて、広い面積を照明できるようになる。
凹レンズ状の窪みまたは凹レンズ状の溝２は、LEDの発光源と接近しているので、度の強い凹レンズまたは凹レンズ状の溝が必要となる。
環状の光拡散部１の断面の長方形の形や大きさは、内蔵するLEDの大きさや、環状の光拡散部の強度により厚さ、幅等が変わってくるが、発光面が広くとれるように発光面側（表面側）が広い長方形断面が良い。
【００１６】
またさらに光を拡散させるために、光拡散部１の表側の表面がスリガラス状、または光拡散部１自体が半透明な樹脂になっており、光をさらに拡散させる。
ここでのスリガラス状というのは、透明アクリルをアルミナサンド＃８０〜＃１２０程度でサンドブラストした程度の透明度であって、反対側にあるものが透けて見えてしまうような淡いスリガラス状ではない。
半透明の樹脂においても、樹脂の向こう側が透けて見えてしまう程度の半透明さだと、光拡散効果は薄まり、使用時に眩輝が生じる。
【００１７】
図５はクリップ部１０を裏側からみた斜視図である。クリップ部１０を光拡散部固定用穴４２で、光拡散部と嵌合あるいはビス止めする。配線埋め込み用溝３７は、光拡散部１に内蔵されたLEDからLED駆動回路への配線を埋め込み、目立たせなくするための溝である。放熱板１３はLED駆動用の電子部品の熱を逃がすために、クリップ内部空間６の蓋として使用される。
【００１８】
図６はクリップ部を側面側からみた分解斜視図である。LED制御回路、スイッチ、ACアダプター用ソケットが固定クリップ部１１内部空間６に収まるようにコンパクトに配置される。
【００１９】
図７は前記照明器具のA、A断面において、着脱可能な照明器具を鏡に取り付けるための手段をクリップから吸盤１７にした状態の断面図である。吸盤１７は最低でも一個、さらに複数つけることで鏡２１との接着安定度が増す。薄い小型の吸盤を数箇所に分けて使用したほうが、鏡２１と環状の光拡散部１との距離が少なくなり、より効果的に照明をすることができる。また、吸盤は鏡面のどの位置、たとえば鏡の中央などにも吸着することができるので、鏡のディスプレイにも使用が考えられる。
【００２０】
図８は前記照明器具のA、A断面において、鏡に取り付けるための手段を粘着テープにした状態の断面図である。粘着テープ１８は最低でも一個、さらに複数つけることで鏡２１との接着安定度が増す。これはほぼ恒久的に鏡に取り付けておく方法である。
【００２１】
図９は前記照明器具のA、A断面において、鏡に取り付けるための手段がフック状になったものである。これは単にこのフック１９を鏡の縁に引っ掛けて使用することで容易に着脱ができる。また、フック状のふところ部分に弾力性をもたせて、鏡を挟み込むことも可能である。
【００２２】
光拡散部１の表側表面はスリガラス状になっているか、光拡散部１そのものが半透明の樹脂でできている。LED5から出た光は凹レンズ状の窪みまたは凹レンズ状の溝２において広角に拡散され、さらに１の表面のスリガラス状面で拡散される。光拡散部１そのものが半透明の樹脂の場合でも似た拡散効果が得られるが、半透明光拡散部１の厚みがあることにより、光の到達効率は落ち多少暗くなる。凹レンズ状の窪みまたは凹レンズ状の溝は光をよく屈折させるために、鏡面仕上げが望ましい。
光を拡散・混合させる面の素材は、スリガラス状の面だけではなく、乳白色版や半透明フィルム等の光を拡散させるものであっても似た効果が得られるが、乳白色板を用いた場合は、多少光の透過効率が劣り暗くなり、また、半透明フィルムの場合は拡散効果が多少劣る。
【００２３】
本発明では明るさを明るくするために、AC電源からLED駆動回路３６を通してLEDを駆動している。
LEDとLED駆動回路は、お互いの距離が遠くなると発光効率が落ちるので、なるべく接近させて設けることが望ましい。ここでは交流電源からACパック電源を用いて、電源プラグ１４に直流電源を供給している。
【００２４】
顔を美しく見せるには、例えば、写真ポートレートを美しく撮るときなどのように、下からの光も若干ながら使用する。これは目のくぼみや骨格を補正して柔らかい顔にするのに役立っている。
今回、鏡を囲む環状の面発光部を用いたのは、そういった理由がある。環状の広い発行面は、顔を包み込むように下からの光も提供し、ちょうどポートレート写真を撮るときのような、一番きれいな姿を鏡に投影することができる。
もちろん環状だけではなく、環状に囲った面発光光源なら四角い額縁状発光面でも同じ効果を得ることができる。
【００２５】
他のLED照明装置の付いた鏡などでは、LED光の進み方について一番簡単な構造として、LED光を直接照射させる方法があるが、点光源に近くなるため、眩輝のため瞳孔が閉じ、逆に顔が暗く見えてしまう。本発明は、発光面をできるかぎり均一な明るさに出来るように考えている。光源になるLEDには白色LEDが用いられるが、３原色混合で作られた高演色性白色光LEDが一番望ましい。  
【符号の説明】
【００２６】
１    環状の光拡散部
２    凹レンズ状の窪み又は凹レンズ状溝
３    裏蓋・LED基台
４    排熱孔
５    LED
６    クリップ内部空間
１０  クリップ部全体
１１  固定クリップ部
１２  可動クリップ部
１３  放熱板
１４  ACアダプター用ソケット
１６  滑り止め
１７  吸盤
１８  両面粘着テープ
１９  フック
２１  鏡
３５  スイッチ
３６  LED駆動回路
３７  配線
３８  配線埋め込み用溝
４２  光拡散部固設用穴
【要約】      （修正有）【課題】身だしなみや化粧の確認のために、顔のまわりを包み込むような形で均一な照明をする、鏡に着脱可能な照明器具を提供する。【解決手段】環状の光拡散用環状凹レンズの裏側にLEDを凹面に対し対向させて配置した光拡散部１と、LED駆動回路と、前期環状光拡散部を鏡に固定するために、クリップ式、吸盤式、粘着シート式、引っ掛けフック式などそれぞれの装着装置を用いて鏡２１に固定し、容易に取り外しできる着脱可能な環状照明器具である。LED電源を外部に取ることにより、より明るく、使用時間の長い照明になる。LED光源から出る光を凹レンズとスリガラス状の拡散面で光を拡散させ、柔らかい間接照明効果が得られる。【選択図】図１【図１】
0004796203.tif 000002
【図２】
0004796203.tif 000003
【図３】
0004796203.tif 000004
【図４】
0004796203.tif 000005
【図５】
0004796203.tif 000006
【図６】
0004796203.tif 000007
【図７】
0004796203.tif 000008
【図８】
0004796203.tif 000009
【図９】
0004796203.tif 000010